(57)【要約】【課題】前端部と後端部との間に位置する被支持部において床部から上方に突出する支柱部に支持される屋根構造物を設け、その後端部をバックステイにより躯体に繋げた建築物において、長尺のバックステイを採用した場合でも当該バックステイの座屈を回避できる技術を提供する。【解決手段】前方の競技場Ｇ側から後方に向けて上る方向に傾斜して観客席Ｓが上面に設けられた床部３１Ｂと当該床部３１Ｂから上方に突出する支柱部４０とを有する躯体３０と、前端部と後端部との間に位置する被支持部５１において支柱部４０に支持される屋根構造物５０と、屋根構造物５０の後端部と躯体３０とを繋ぐバックステイ５５と、を備えた建築物１００であって、バックステイ５５の長手方向に沿った中間部に対して側方への変位を抑制する側方変位抑制部６０を躯体６０に備えた。【選択図】図１
2020090799.tif 000002
【特許請求の範囲】
【請求項１】
前方の競技場側から後方に向けて上る方向に傾斜して観客席が上面に設けられた床部と当該床部から上方に突出する支柱部とを有する躯体と、
前端部と後端部との間に位置する被支持部において前記支柱部に支持される屋根構造物と、
前記屋根構造物の後端部と前記躯体とを繋ぐバックステイと、を備えた建築物であって、
前記バックステイの長手方向に沿った中間部に対して側方への変位を抑制する側方変位抑制部を前記躯体に備えた建築物。
【請求項２】
前記床部が、片持ち状態で前記支柱部よりも後方に延出する延出部分を有し、
前記バックステイが、前記屋根構造物の後端部に接続された上端部から前記躯体の前記床部よりも下方側に接続された下端部にかけて斜め前方に垂れ下がる姿勢で設置され、
前記側方変位抑制部が、前記延出部分に設けられている請求項１に記載の建築物。
【請求項３】
前記床部の延出部分における前記支柱部の真後ろ側の観戦不適領域に、前記バックステイの中間部が挿通されるバックステイ挿通口が形成され、
前記バックステイ挿通口に、前記側方変位抑制部が設けられている請求項２に記載の建築物。
【請求項４】
前記支柱部から片持ち状態で後方に延びて前記床部の延出部分を支持する後方側片持ち梁部を備え、
前記後方側片持ち梁部が、前記バックステイ挿通口の左右両側に分岐された二又部分を有する請求項３に記載の建築物。
【請求項５】
前記バックステイが、前記床部の延出部分の後方に位置すると共に、
前記側方変位抑制部が、前記床部の延出部分の後端部に設けられている請求項２に記載の建築物。
【請求項６】
前記側方変位抑制部が、前記躯体に対する前記バックステイの中間部の長手方向に沿った変位を許容するものとして構成されている請求項１〜５の何れか１項に記載の建築物。
【請求項７】
前記躯体において前記バックステイの下端部が接続される下端接続部が、前記支柱部における前記床部よりも下方側に設けられている請求項１〜６の何れか１項に記載の建築物。
【請求項８】
前記屋根構造物において前記バックステイの上端部が接続される上端接続部が、前記バックステイの前後方向に沿って揺動可能に構成されている請求項１〜７の何れか１項に記載の建築物。
【発明の詳細な説明】
【技術分野】
【０００１】
本発明は、前方の競技場側から後方に向けて上る方向に傾斜して観客席が上面に設けられた床部と当該床部から上方に突出する支柱部とを有する躯体と、前端部と後端部との間に位置する被支持部において前記支柱部に支持される屋根構造物と、前記屋根構造物の後端部と前記躯体とを繋ぐバックステイと、を備えた建築物に関する。
【背景技術】
【０００２】
前方の競技場側から後方に向けて上る方向に傾斜して観客席が上面に設けられた床部と当該床部から上方に突出する支柱部とを有する躯体を備えた建築物では、前端部と後端部との間に位置する被支持部において支柱部に支持される屋根構造物が設けられる（例えば、特許文献１を参照。）。
そして、このような屋根構造物を設ける場合、その後端部をバックステイにより躯体に繋ぐことで、被支持部を支点として前端部を降下させる方向に回転しようとする動きを引き留めるように構成されている。このようなバックステイは、通常では、設計荷重下において引張状態が維持されるように構成されている。
【先行技術文献】
【特許文献】
【０００３】
【特許文献１】特開２０１７−１２２３３４号公報
【発明の概要】
【発明が解決しようとする課題】
【０００４】
しかし、屋根構造物の下面に対して吹き上げる強風が発生する場合には、屋根構造物が被支持部を支点として前端部を上昇させる方向に回転しようとして、バックステイに長手方向に沿った圧縮力が作用することがある。このようにバックステイに対して想定以上の圧縮力が作用すると、長尺のバックステイでは、座屈するなどの問題が懸念される。
また、このような座屈を抑制するために、バックステイの長さをできるだけ短くすることが考えられる。しかしながら、短いバックステイを採用する場合には、床部の上方にバックステイの下端部に対する接続部が配置されることになって、当該床部の上面での観客席の配置等が制約されるという問題が生じる。
【０００５】
この実情に鑑み、本発明の主たる課題は、前端部と後端部との間に位置する被支持部において床部から上方に突出する支柱部に支持される屋根構造物を設け、その後端部をバックステイにより躯体に繋げた建築物において、長尺のバックステイを採用した場合でも当該バックステイの座屈を回避できる技術を提供する点にある。
【課題を解決するための手段】
【０００６】
本発明の第１特徴構成は、前方の競技場側から後方に向けて上る方向に傾斜して観客席が上面に設けられた床部と当該床部から上方に突出する支柱部とを有する躯体と、
前端部と後端部との間に位置する被支持部において前記支柱部に支持される屋根構造物と、
前記屋根構造物の後端部と前記躯体とを繋ぐバックステイと、を備えた建築物であって、
前記バックステイの長手方向に沿った中間部に対して側方への変位を抑制する側方変位抑制部を前記躯体に備えた点にある。
【０００７】
本構成によれば、躯体に設けられた側方変位抑制部によってバックステイの長手方向に沿った中間部の側方への変位が抑制されているので、バックステイの撓みを抑制することができる。すると、強風等により屋根構造物が被支持部を支点として前端部を上昇させる方向に回転しようとして、バックステイに圧縮力が作用した場合であっても、中間部の側方への変位を伴うバックステイの座屈を効果的に防止することができる。よって、観客席の配置等への影響が少ない比較的長尺のバックステイを採用することができる。
従って、本発明により、前端部と後端部との間に位置する被支持部において床部から上方に突出する支柱部に支持される屋根構造物を設け、その後端部をバックステイにより躯体に繋げた建築物において、長尺のバックステイを採用した場合でも当該バックステイの座屈を回避できる技術を提供することができる。
【０００８】
本発明の第２特徴構成は、前記床部が、片持ち状態で前記支柱部よりも後方に延出する延出部分を有し、
前記バックステイが、前記屋根構造物の後端部に接続された上端部から前記躯体の前記床部よりも下方側に接続された下端部にかけて斜め前方に垂れ下がる姿勢で設置され、
前記側方変位抑制部が、前記延出部分に設けられている点にある。
【０００９】
本構成によれば、床部において支柱部よりも後方の延出部分の上面にも観客席を設けて、支柱部よりも後方の空間を観客席として有効利用することができる。
また、バックステイが上端部から下端部にかけて斜め前方に垂れ下がる姿勢で設置されているので、当該下端部が接続される躯体の下端接続部を前方に位置させて、躯体のコンパクト化を図ることができ、このことにより躯体の後方にバックステイとの干渉を回避した空間を確保することができる。
そして、このような構成を採用した場合において、床部の延出部分とバックステイの中間部とが近接したものとなることから、当該床部の延出部分に側方変位抑制部を合理的に配置することができる。
【００１０】
本発明の第３特徴構成は、前記床部の延出部分における前記支柱部の真後ろ側の観戦不適領域に、前記バックステイの中間部が挿通されるバックステイ挿通口が形成され、
前記バックステイ挿通口に、前記側方変位抑制部が設けられている点にある。
【００１１】
本構成によれば、床部の延出部分に形成されたバックステイ挿通口にバックステイの中間部を挿通させるので、バックステイの下端部が接続される躯体の下端接続部を一層前方に位置させて、躯体の更なるコンパクト化を図ることができる。
更に、床部の延出部分において支柱部の真後ろ側に位置する領域については、支柱部が邪魔になって観戦に適さない観戦不適領域となることから、当該観戦不適領域にバックステイ挿通口を配置することで、他の領域において観客席を効率良く配置することができる。
そして、このような構成を採用した場合において、床部の延出部分に形成されたバックステイ挿通口にはバックステイの中間部が挿通されていることから、当該バックステイ挿通口に対して側方変位抑制部を合理的に配置することができる。
【００１２】
本発明の第４特徴構成は、前記支柱部から片持ち状態で後方に延びて前記床部の延出部分を支持する後方側片持ち梁部を備え、
前記後方側片持ち梁部が、前記バックステイ挿通口の左右両側に分岐された二又部分を有する点にある。
【００１３】
本構成によれば、支柱部から片持ち状態で後方に延びる後方側片持ち梁部に二又部分を設けることによって、支柱部の真後ろ側の観戦不適領域に形成したバックステイ挿通口を回避しながら、支柱部の後方側に設けられる床部の延出部分を良好に支持することができる。
【００１４】
本発明の第５特徴構成は、前記バックステイが、前記床部の延出部分の後方に位置すると共に、
前記側方変位抑制部が、前記床部の延出部分の後端部に設けられている点にある。
【００１５】
本構成によれば、バックステイが床部の延出部分の後方の位置する場合には、当該延出部分の例えば梁部の後端部に対してバックステイの中間部を接続する形態で、バックステイの中間部の側方への変位を抑制する側方変位抑制部を床部の延出部分の後端部に構築することができる。
【００１６】
本発明の第６特徴構成は、前記側方変位抑制部が、前記躯体に対する前記バックステイの中間部の長手方向に沿った変位を許容するものとして構成されている点にある。
【００１７】
本構成によれば、バックステイの中間部の側方への変位を抑制する側方変位抑制部において、躯体に対するバックステイの中間部の長手方向に沿った変位が許容されているので、当該長手方向に沿った変位に起因して側方変位抑制部からバックステイに無用な圧縮力又は引張力が付加されることを回避することができる。
【００１８】
本発明の第７特徴構成は、前記躯体において前記バックステイの下端部が接続される下端接続部が、前記支柱部における前記床部よりも下方側に設けられている点にある。
【００１９】
本構成によれば、バックステイの下端部が支柱部の床部よりも下方側の下端接続部に接続されるので、そのバックステイの姿勢は、支柱部よりも後方に位置する屋根構造物の後端部に接続された上端部から斜め前方に垂れ下がる姿勢となる。よって、躯体において、支柱部よりも後方に突出させることなく下端接続部を設けることができ、支柱部の後方においてバックステイとの干渉を回避した空間を確保して、当該空間を有効利用することができる。
【００２０】
本発明の第８特徴構成は、前記屋根構造物において前記バックステイの上端部が接続される上端接続部が、前記バックステイの前後方向に沿って揺動可能に構成されている点にある。
【００２１】
本構成によれば、屋根構造物を地組する際に、屋根構造物の下面にバックステイを沿わせたコンパクトな状態で、バックステイの上端部を屋根構造物の上端接続部に接続することができる。そして、かかる地組した屋根構造物を揚重して施工する際には、当該屋根構造物の上端接続部に接続されたバックステイを、自重により自動的に後方に揺動させることができ、当該揺動したバックステイの下端部を簡単に躯体に接続することができる。
【図面の簡単な説明】
【００２２】
【図１】第１実施形態の建築物の立面図
【図２】図１に示す建築物における側方変位抑制部の拡大立面図
【図３】図１に示す建築物における下端接続部の拡大立面図
【図４】図１に示す建築物における下端接続部の拡大右側面図
【図５】第２実施形態の建築物の立面図
【図６】図５に示す建築物における側方変位抑制部の拡大平面図
【発明を実施するための形態】
【００２３】
〔第１実施形態〕
本発明の第１実施形態について図１〜図４に基づいて説明する。
図１に示す建築物１００は、前方の競技場Ｇ側から後方に向けて上る方向に傾斜して観客席Ｓが上面に設けられた床部１１，３１Ａ，３１Ｂを備えた建築物として構成されている。尚、図１では、観客席Ｓの一部のみを描画しているが、この観客席Ｓの形態や配置等については適宜変更することができる。
【００２４】
かかる建築物１００は、詳細については後述するが、競技場Ｇに隣接する最前部分に構築された最前構造物１０と、当該最前構造物１０からみて競技場Ｇとは反対側の後方部分に構築された主構造物３０と、これらの上方を覆う屋根構造物５０とを有して構成されている。そして、上記最前構造物１０の上面には、上記床部としての競技場Ｇ近傍から後方に向けて上る方向に傾斜する階段状の最前床部１１が設けられている。一方、上記主構造物３０の上面には、最前床部１１の後端部近傍から後方に向けて上る方向に傾斜する階段状の主床部３１Ａ，３１Ｂが設けられている。また、主床部３１Ａ，３１Ｂは、前半部分の前側主床部３１Ａと後半部分の後側主床部３１Ｂとで構成されており、後側主床部３１Ｂは、前側主床部３１Ａの後端部の上方位置から後方に向けて上る方向に傾斜するように設けられている。
尚、本実施形態において、床部１１，３１Ａ，３１Ｂは階段状の所謂段床部として構成するが、例えば上面を傾斜面として平板状に構成するなど、適宜形態を変更することもできる。
【００２５】
上記床部１１，３１Ａ，３１Ｂを構成する床板１２，３２は、プレキャストコンクリートで構成されており、例えば２段分の床板１２，３２を予めプレキャストコンクリートで構築し、その構築したプレキャストコンクリート製の床板１２，３２を複数並べて床部１１，３１Ａ，３１Ｂを構築することができる。
【００２６】
主構造物３０において、床部３１Ａ，３１Ｂは、前方の競技場Ｇ側から後方に向けて上がる方向に延びる左右一対の傾斜大梁３３と、当該一対の傾斜大梁３３間に架設された前後一対の構造梁３４とによって支持されている。尚、本実施形態において、傾斜大梁３３の上面は後方に向けて上昇する階段状に形成されており、その上面に階段状の床部３１Ａ，３１Ｂ（床板３２）が設置されている。
【００２７】
主構造物３０は、屋根構造物５０を支持する躯体として構成されている。即ち、主構造物３０には、後側主床部３１Ｂから上方に突出する支柱部４０が設けられている。そして、屋根構造物５０は、前端部と後端部との間に位置する被支持部５１において主構造物３０の支柱部４０に支持され、後端部がバックステイ５５を介して主構造物３０の背面側に繋がれた片持ち式天秤トラス構造が採用されている。即ち、バックステイ５５は鋼管で構成されており、その上端部が上端接続部５６を介して屋根構造物５０の後端側に接続されており、その下端部が下端接続部７０を介して主構造物３０の背面側に接続されている。
以下、本実施形態の建築物１００が備える特徴構成について、説明を加える。
【００２８】
本実施形態の建築物１００は、屋根構造物５０の後端部をバックステイ５５により主構造物３０に繋げた建築物１００において、長尺のバックステイ５５を採用した場合でも当該バックステイ５５の座屈を回避可能とするためのバックステイ座屈回避構造を有する。
詳しくは、バックステイ座屈回避構造は、バックステイ５５の長手方向に沿った中間部に対して側方への変位を抑制する側方変位抑制部６０を主構造物３０（躯体の一例）に備えて構成されている。
即ち、強風等により屋根構造物５０が被支持部５１を支点として前端部を上昇させる方向に回転しようとして、バックステイ５５に対し圧縮力が作用する場合がある。このような場合でも、下端側が主構造物３０に接続された比較的長尺のバックステイ５５であっても、その中間部が側方へ変位するような撓みを伴う座屈が効果的に防止される。
【００２９】
更に、後側主床部３１Ｂが、片持ち状態で支柱部４０よりも後方に延出する延出部分３１Ｂａを有する。具体的には、支柱部４０から片持ち状態で後方に延びて後側主床部３１Ｂの延出部分３１Ｂａを支持する後方側片持ち梁部３３ａが設けられている。また、主構造物３０においてバックステイ５５の下端部が接続される下端接続部７０が、支柱部４０における後側主床部３１Ｂよりも下方側に設けられている。よって、バックステイ５５は、屋根構造物５０の後端部に接続された上端接続部５６から主構造物３０の後側主床部３１Ｂよりも下方側に接続された下端接続部７０にかけて斜め前方に垂れ下がる姿勢で設置されることになる。
【００３０】
そして、バックステイ５５の中間部の側方への変位を抑制する側方変位抑制部６０が、後側主床部３１Ｂの延出部分３１Ｂａ、詳しくは後方側片持ち梁部３３ａの後端面に設けられている。この構成により、後側主床部３１Ｂにおいて支柱部４０よりも後方の延出部分３１Ｂａの上面についても、観客席Ｓとして有効利用されている。
更に、そのバックステイ５５の姿勢は、支柱部４０よりも後方に位置する屋根構造物５０の後端部に接続された上端部から斜め前方に垂れ下がる姿勢とされている。このことで、主構造物３０において、支柱部４０よりも後方に突出させることなく下端接続部７０を設けることができる。そして、支柱部４０の後方において、バックステイ５５との干渉を回避した空間が確保されており、当該空間を有効利用することができる。
更に、後側主床部３１Ｂの延出部分３１Ｂａとバックステイ５５の中間部とが近接したものとなるので、当該後側主床部３１Ｂの延出部分３１Ｂａに側方変位抑制部６０を合理的に配置することができる。尚、主構造物３０における側方変位抑制部６０の設置箇所については適宜変更しても構わない。
【００３１】
屋根構造物５０においてバックステイ５５の上端部が接続される上端接続部５６は、バックステイ５５の前後方向に沿って揺動可能なヒンジ構造を有して構成されている。
このような構成により、屋根構造物５０を地組する際には、屋根構造物５０の下面にバックステイ５５を沿わせたコンパクトな状態としながら、そのバックステイ５５の上端部を屋根構造物５０の上端接続部５６に接続することができる。
そして、地組した屋根構造物５０を揚重して主構造物３０の支柱部４０上に施工する際には、当該屋根構造物５０の上端接続部５６に接続されたバックステイ５５を、自重により自動的に後方に揺動させて、当該揺動したバックステイ５５の下端接続部７０を簡単に主構造物３０に対して接続することができる。
尚、本実施形態では、バックステイ５５の上端接続部５６を前後方向に沿って揺動可能なヒンジ構造としたが、この構成については、適宜改変又は省略することもできる。
【００３２】
側方変位抑制部６０は、図２に示すように、後方側片持ち梁部３３ａの後端面に固定された躯体側ブラケット６２と、バックステイ５５に固定されたバックステイ側ブラケット６１とを、ボルト６３によって接合するものとして構成されている。このような側方変位抑制部６０により、躯体側ブラケット６２に対してバックステイ側ブラケット６１がバックステイ５５の長手方向に垂直な面内方向への変位が防止される。よって、バックステイ５５の長手方向に沿った中間部の側方への変位が抑制される。
【００３３】
更に、躯体側ブラケット６２及びバックステイ側ブラケット６１の少なくとも一方側において、ボルト６３が挿通されるボルト挿通孔６１ａが、バックステイ５５の長手方向に沿って長尺な長孔として形成されている。
すると、長孔として形成されたボルト挿通孔６１ａ内でボルト６３がスライドする形態で、主構造物３０の後方側片持ち梁部３３ａに対するバックステイ５５の中間部の長手方向に沿った変位が許容されることになる。このような構成により、バックステイ５５において長手方向に沿った変位に起因して無用な圧縮力又は引張力が付加されることを回避することができる。
【００３４】
尚、本実施形態では、ボルト挿通孔６１ａを長孔とすることで、主構造物３０の後方側片持ち梁部３３ａに対するバックステイ５５の中間部の長手方向に沿った変位を許容するように構成したが、例えばバックステイ５５を長手方向に伸縮自在とするなどによって、バックステイ５５の中間部の長手方向に沿った変位を許容するように構成しても構わない。また、バックステイ５５の中間部の長手方向に沿った変位を許容する構成については適宜省略することもできる。
【００３５】
バックステイ５５の下端部を主構造物３０に接続する下端接続部７０は、図３及び図４に示すように、主構造物３０の支柱部４０の背面側に設けられている。
即ち、下端接続部７０は、支柱部４０の背面側に固定された躯体側ブラケット７３に対して、バックステイ５５の下端部に固定された接合具７１を左右方向に延びるピン７２を介して接合して構成されている。このことで、バックステイ５５は、下端接続部７０においてピン７２を中心に揺動自在となって、バックステイ５５の曲げが抑制される。
【００３６】
下端接続部７０を構成する躯体側ブラケット７３は、主構造物３０の支柱部４０に対して、構造梁３５が接続される部位に埋設された定着板を有するアンカー７５と、その下方側の部位を貫通する状態で設けられた通しボルト７６とによって固定されている。即ち、躯体側ブラケット７３は、主構造物３０において支柱部４０と構造梁３５との接合部を含む領域に固定されている。このことで、主構造物３０に対して躯体側ブラケット７３を強固に固定することができる。
【００３７】
〔第２実施形態〕
本発明の第２実施形態について図５及び図６に基づいて説明する。
尚、本実施形態は、前述の第１実施形態に対して、側方変位抑制部６０に関連する構成のみが相違する。よって、以下の説明において、前述の第１実施形態と同様の構成については、図面にて同じ符号を付すと共に、詳細な説明を割愛する場合がある。
【００３８】
図５及び図６に示すように、後側主床部３１Ｂの延出部分３１Ｂａにおける支柱部４０の真後ろ側の観戦不適領域には、バックステイ５５の中間部が挿通されるバックステイ挿通口３７が形成されている。即ち、後側主床部３１Ｂは、片持ち状態で支柱部４０よりも後方に延出する延出部分３１Ｂａを有し、その延出部分３１Ｂａにおける支柱部４０の後方側の領域に、上記バックステイ挿通口３７が形成されている。そして、バックステイ挿通口３７に、バックステイ５５の長手方向に沿った中間部に対して側方への変位を抑制する側方変位抑制部６０が設けられている。
【００３９】
このような構成により、バックステイ５５の下端部が接続される主構造物３０の下端接続部７０を一層前方に位置させて、主構造物３０の更なるコンパクト化を図ることができる。更に、後側主床部３１Ｂの延出部分３１Ｂａにおいて支柱部４０の真後ろ側に位置する領域については、支柱部４０が邪魔になって観戦に適さない観戦不適領域となる。このことから、このような観戦不適領域には、バックステイ挿通口３７が配置され、他の領域には、観客席Ｓが効率良く配置されている。
【００４０】
図６に示すように、後側主床部３１Ｂの延出部分３１Ｂａを支持する後方側片持ち梁部３３ａには、バックステイ挿通口３７の左右両側に分岐された二又部分３８が形成されている。このことで、支柱部４０の真後ろ側の観戦不適領域に形成したバックステイ挿通口３７を回避しながら、支柱部４０の後方側に設けられる後側主床部３１Ｂの延出部分３１Ｂａがこの二又部分３８により良好に支持されている。
そして、この二又部分３８の内面３８ａ，３８ｂで形成される溝部が、上記バックステイ挿通口３７として機能する。更に。この二又部分３８の内面３８ａ，３８ｂは、バックステイ挿通口３７に挿通されるバックステイ５５の外面に当接するものとして構成されている。この構成により、二又部分３８の内面３８ａ，３８ｂが、バックステイ５５の中間部の側方への変位を抑制する側方変位抑制部６０として機能する。即ち、二又部分３８の内面３８ａ，３８ｂのうちの両側内面３８ａが、バックステイ５５の中間部の左右方向への変位を抑制し、二又部分３８の内面３８ａ，３８ｂの主構造物３０側の前内面３８ｂが、バックステイ５５の中間部の主構造物３０に近接する方向への変位を抑制することになる。また、本実施形態では、設置していないが、二又部分３８の間の溝部において、それに挿通されるバックステイ５５の中間部が主構造物３０から離間する方向への変位を抑制するために、二又部分３８の溝部の後方側を塞ぐ状態で設けられたストッパーを側方変位抑制部６０として設けることもできる。
【符号の説明】
【００４１】
３０        主構造物（躯体）
３１Ｂ      後側主床部（床部）
３１Ｂａ    延出部分
３３ａ      後方側片持ち梁部
３７        バックステイ挿通口
３８        二又部分
４０        支柱部
５０        屋根構造物
５１        被支持部
５５        バックステイ
５６        上端接続部
６０        側方変位抑制部
７０        下端接続部
１００      建築物
Ｇ          競技場
Ｓ          観客席
【図１】
2020090799.tif 000003
【図２】
2020090799.tif 000004
【図３】
2020090799.tif 000005
【図４】
2020090799.tif 000006
【図５】
2020090799.tif 000007
【図６】
2020090799.tif 000008